(57)【要約】【課題】  コンパクトな構造からなり狭い場所にあるねじのねじ廻しができ、ツール部（ビット部）の交換が可能なオフセット型ドライバを提供する。【解決手段】  細長な板状の把持板２の端部に短寸のビット部１を挿脱可能にホルダ部材３により固定する。把持板２を手等で把持することにより、把持板２から露出している短寸のビット部１によりねじ廻しができる。【選択図】  図１
0003120762.tif 000002
【実用新案登録請求の範囲】
【請求項１】
細長の把持板の端部にねじに嵌合する嵌合部を有する工具を着脱可能に設けてなるオフセット型ドライバであって、該ドライバは、前記把持板の表裏面から前記工具の嵌合部及び基端部を露出すると共に前記嵌合部及び基端部の把持板に近接する位置に係止溝を凹設する短寸のツール部と、前記把持板の端縁に着脱可能に嵌り込む略コ字状断面の部材であって前記係止溝に係着する係着部を形成するホルダ部材とを有するものからなり、前記ツール部の基端部は、前記把持板に回動を拘束させて保持されるものからなることを特徴とするオフセット型ドライバ。
【請求項２】
前記把持板の両端部に夫々前記ツール部が設けられ、両ツール部の寸法が相異するものからなることを特徴とする請求項１に記載のオフセット型ドライバ。
【考案の詳細な説明】
【技術分野】
【０００１】
本考案は、ねじのねじ溝に嵌り込むツール部を有し、該ツール部を細長の把持板の端部に着脱可能に固着してなるオフセット型ドライバに関する。
【背景技術】
【０００２】
例えば、プラスねじをねじ廻しするためのドライバとしては各種型式のものがあるが「特許文献１」や「特許文献２」に開示する型式のものが主に使用されている。
【特許文献１】登録実用新案第３１１５６０７号（図１）
【特許文献２】特開２００３−１６５０６７号（図１）
【考案の開示】
【考案が解決しようとする課題】
【０００３】
「特許文献１」の「登録実用新案第３１１５６０７号」の「カラービット」は軸部（２）の両端に同一形状のビット（１），（１）を設けたものである。また、「特許文献２」の「特開２００３−１６５０６７号」の「ドライバービット」は細長なストレートのビット杆（１）の先端にビット（頭部２ａ）を設けたものからなる。
前記の「特許文献１」の「カラービット」はそれ自体として大きな特徴を有するものであるが、使用時には軸部（２）にホルダを嵌め込むか又はスパナを使用するかして全体を回転させる必要があり、別体の回動具を必要とする不便さがある。また、ビット（１）は固定的のものからなり、他のサイズのものと交換することができない。また、「特許文献２」はビット杆（１）の部分を手動等により回転すればねじ廻しで出来るが、ビット（２ａ）の部分は「特許文献１」と同じく固定的のものであり、他のサイズのものと交換することはできない。
また、「特許文献１」及び「特許文献２」は全体として細長な軸部にビットが形成されているものであり、狭い場所にあるねじをねじ廻しすることができない問題点もある。
【０００４】
本考案は、以上の問題点を解決すべく考案されたものであり、ツール部と把持板が一体化すると共にツール部の交換が可能であり、かつ短寸のツール部からなるため狭い場所にあるねじに対してもねじ廻しが容易にでき、かつ全体としてコンパクトにまとめられ、安価に実施できるオフセット型ドライバを提供することを目的とする。
【課題を解決するための手段】
【０００５】
本考案は、以上の目的を達成するために、請求項１の考案は、細長の把持板の端部にねじに嵌合する嵌合部を有する工具を着脱可能に設けてなるオフセット型ドライバであって、該ドライバは、前記把持板の表裏面から前記工具の嵌合部及び基端部を露出すると共に前記嵌合部及び基端部の把持板に近接する位置に係止溝を凹設する短寸のツール部と、前記把持板の端縁に着脱可能に嵌り込む略コ字状断面の部材であって前記係止溝に係着する係着部を形成するホルダ部材とを有するものからなり、前記ツール部の基端部は、前記把持板に回動を拘束させて保持されるものからなることを特徴とする。
【０００６】
また、請求項２の考案は、前記把持板の両端部に夫々前記ツール部が設けられ、両ツール部の寸法が相異するものからなることを特徴とする。
【考案の効果】
【０００７】
本考案の請求項１のオフセット型ドライバによれば、本考案のドライバは板状の細長の把持板の端部に短寸なツール部を回動を拘束した状態で着脱可能に挿着し、ホルダ部材によりツール部を把持板側に固持するようにしたものからなり、短寸のツール部が把持板に略直角に固着したものからなるため、狭い場所におけるねじ廻しが容易にできる。また、ホルダ部材を把持板から取り除くことにより、ツール部の交換が容易にできる効果が上げられる。
【０００８】
また、本考案の請求項２のオフセット型ドライバによれば、把持板にはその一つの端部にのみツール部が設けられる場合もあるが、請求項２では両端部にツール部を設けるため異なったサイズのねじに対してそのまま使用することができ便利である。
【考案を実施するための最良の形態】
【０００９】
以下、本考案のオフセット型ドライバの実施の形態を図面を参照して詳述する。
【実施例１】
【００１０】
実施例１のオフセット型ドライバは把持板の一端側にのみツール部の１つであるビット部を設けたものである。なお、ツール部としてはビット部に限らず、レンチ，ボールポイント，ボックス，トルクス等のねじ廻し具がすべて適用される。
図１に示すように、オフセット型ドライバ１００は、短寸のビット部１と、これをその端部に設ける把持板２と、ビット部１を把持板２に固定するためのホルダ部材３とからなる。以下、図２，図３，図４を用いて前記の各構成要素の詳細構造を説明する。
【００１１】
図２に示すように、ビット部１は、一端側に刃部１ａ（ビット）を設け、他端側に基端部１ｂを一体的に設けたものからなる。この刃部１ａと基端部１ｂには寸法ａの保持部１ｃを除きリング状の係止溝１ｄ，１ｅが凹設される。前記の保持部１ｃの寸法ａは後に説明する把持板２の板厚ｔと略同一の寸法からなる。また、基端部１ｂの横断面は図２（ｃ）に示すように六角形状のものからなる。なお、刃部１ａは図２（ｂ）に示すようにプラスねじのねじ溝に嵌り込む嵌り込む部を有する円錐状のものからなる。また、図２（ａ）に示すように、ビット部１の全長ｂは短寸のものからなる。
【００１２】
次に、把持板２を図３により説明する。把持板は板厚ｔの細長の板からなり、本実施例の場合、巾寸法ｃは一定のものからなるがテーパ状のものでも勿論よい。その一端部には六角孔２ａが貫通形成される。この六角孔２ａは前記の基端部１ｂが嵌り込む形状，寸法のものからなる。また、前記の巾寸法ｃは手で握り易い寸法のものからなる。なお、把持板２の形状は図３に示すものに限らず、丸棒や角棒の先端を平にした形状のものでもよい。
【００１３】
次に、図４によりホルダ部材３の形状を説明する。ホルダ部材３は、薄板を略コ字状に折り曲げたものからなり、内巾寸法ｄは把持板２の板厚ｔと略同様の寸法のものからなる。なお、この材質はバネ板が望ましいが、勿論これに限定するものではない。略コ字状に折り曲げられた対峙する折り曲げ片３ａにはビット部１の係止溝１ｄ，１ｅに嵌り込む内径を有する略半円状の係着部３ｂが形成される。
【００１４】
次に、以上のビット、把持板２及びホルダ部材３の構成要素からなるオフセット型ドライバ１００の組付け方法を説明する。まず、把持板２の六角孔２ａ内にビット部１を挿入する。ビット部１の折り曲げ片３ａ，３ａの間隔（内巾寸法ｄ）は前記したように把持板２の板厚ｔと略同じ寸法からなるため、把持板２の表裏面には係止溝１ｄ，１ｅが近接して露出する。この状態で把持板２の端縁側からホルダ部材３を挿入し、その係着部３ｂ，３ｂをビット部１の係止溝１ｄ，１ｅに嵌め込むことにより、ビット部１は把持板２側に固定される。なお、ビット部１の基端部１ｂ及び保持部１ｃは六角形状のため、把持板２に回動を拘束された状態で固持される。
以上の構造により、把持板２を手で挟持することにより、ビット部１によりねじ廻しすることができる。なお、ビット部１の全長ｂが短寸のため、狭い場所におけるねじ廻しが容易に行われる。
【実施例２】
【００１５】
図５に示すように、このオフセット型ドライバ１００Ａは把持板の両端にビット部を設けたものである。ビット部の取付け構造は「実施例１」と同様であるが、把持板２Ａに取付けられるビット部１Ａ，１Ａ′のサイズが異なるものである。以上により、単一のオフセット型ドライバ１００のビット部を変えることなく、異なった寸法のねじのねじ廻しが可能になる。
【産業上の利用可能性】
【００１６】
本考案のオフセット型ドライバは細長の板材の把持板にビット部を設けたものであるが、ツール部としてはビット部に限定するものでなく、ねじ廻しの可能なすべてのものに適用されることは勿論である。また、把持板の形状，形態については前記の説明のものに限定するものではなく、ホルダ部材についてもその形状等はその機能を満足する形状のものでよく、広範囲の適用が可能であり、かつこの考案のオフセット型ドライバは狭い場所のねじ廻しのみならず、すべてのねじに対して適用可能であり、その利用範囲は広い。
【図面の簡単な説明】
【００１７】
【図１】本考案の実施例１のオフセット型ドライバの全体構造を示す正面図。
【図２】本考案のオフセット型ドライバの構成要素の１つであるビット部を示す正面図（ａ）及び正面図の左側面図（ｂ）及び右側面図（ｃ）。
【図３】本考案の構成要素の１つである把持板の平面図（ａ）及び平面図（ａ）のＡ−Ａ線断面図。
【図４】本考案の構成要素の１つであるホルダ部材の正面図（ａ）及び側面図（ｂ）。
【図５】本考案の実施例２のオフセット型ドライバを示す正面図。
【符号の説明】
【００１８】
１        ビット部
１Ａ      ビット部
１Ａ′    ビット部
１ａ      刃部
１ｂ      基端部
１ｃ      保持部
１ｄ      係止溝
１ｅ      係止溝
２        把持板
２Ａ      把持板
２ａ      六角孔
３        ホルダ部材
３ａ      折り曲げ片
３ｂ      係着部
１００    オフセット型ドライバ
１００Ａ  オフセット型ドライバ
【図１】
0003120762.tif 000003
【図２】
0003120762.tif 000004
【図３】
0003120762.tif 000005
【図４】
0003120762.tif 000006
【図５】
0003120762.tif 000007